(57)【要約】【課題】遊泳体を停滞させることなく円滑に遊泳させること。【解決手段】置物玩具１は、液体２０が充填されたケース１０と、液体中で遊泳可能な遊泳体３０と、ケース内に液体を噴出して流れを引き起こさせる流れ形成手段４０と、を備え、流れ形成手段は、複数の異なる方向に液体を噴出する。【選択図】図１
2012005743.tif 000002
【特許請求の範囲】
【請求項１】
液体が充填されたケースと、
前記液体中で遊泳可能な遊泳体と、
前記ケース内に前記液体を噴出して流れを引き起こさせる流れ形成手段と、を備える置物玩具において、
前記流れ形成手段は、複数の異なる方向に前記液体を噴出することを特徴とする置物玩具。
【請求項２】
前記流れ形成手段は、前記液体の噴出位置に前記遊泳体がある場合に、前記遊泳体を回避して異なる方向から前記液体を噴出させることを特徴とする請求項１に記載の置物玩具。
【請求項３】
前記流れ形成手段は、前記液体を前記ケースの上方に向けて噴出することを特徴とする請求項１又は２に記載の置物玩具。
【請求項４】
前記流れ形成手段は、前記ケースの角部に設けられていることを特徴とする請求項１〜３のいずれか一項に記載の置物玩具。
【請求項５】
前記流れ形成手段は、前記ケースに複数設けられていることを特徴とする請求項１〜４のいずれか一項に記載の置物玩具。
【請求項６】
前記流れ形成手段は、
前記液体を前記ケース内に押し出す押出部と、
前記押出部により押し出された前記液体を噴出する噴出溝と、を備え、
前記噴出溝は、開口面方向が交差する複数の噴出開口部を有することを特徴とする請求項１〜５のいずれか一項に記載の置物玩具。
【請求項７】
前記噴出溝は、
前記ケースの底部に形成され、前記ケースの上方に向けて前記液体を噴出する第１の噴出開口部と、
前記ケースの側壁部に形成され、前記ケースの側方に向けて前記液体を噴出する第２の噴出開口部と、を有し、
前記第１の噴出開口部と前記第２の噴出開口部は互いに連通されていることを特徴とする請求項６に記載の置物玩具。
【請求項８】
前記流れ形成手段は、
前記液体を前記ケース内に押し出す押出部と、
前記押出部により押し出された前記液体を開口軸線方向に噴出する複数の噴出口と、を備え、
前記複数の噴出口の少なくとも一部は、前記液体の噴出方向が他の噴出口と異なることを特徴とする請求項１〜５のいずれか一項に記載の置物玩具。
【請求項９】
前記押出部は、内部が前記ケース内に連通され、外力を加えることで縮んで前記液体を押し出し、加えた外力を解放することで前記液体が流入して元の状態に戻るベローズ部材であることを特徴とする請求項６〜８のいずれか一項に記載の置物玩具。
【請求項１０】
前記押出部は、前記ケース内に連通され、前記ケース内に前記液体を噴出するポンプと、
前記ポンプを駆動させる駆動源と、
を備えることを特徴とする請求項６〜８のいずれか一項に記載の置物玩具。
【請求項１１】
前記ケースを支持し、底部が平面状に形成された基台を備えることを特徴とする請求項１〜１０のいずれか一項に記載の置物玩具。
【請求項１２】
前記ケースの少なくとも一部は、レンチキュラーレンズであることを特徴とする請求項１〜１１のいずれか一項に記載の置物玩具。
【請求項１３】
前記レンチキュラーレンズは、一方向に直線状に延びる凸レンズを一定のピッチで配置することにより構成され、
前記遊泳体には絵柄が形成され、当該絵柄は前記一定のピッチでインターレース状に複数の絵柄部分で構成されていることを特徴とする請求項１２に記載の置物玩具。
【請求項１４】
前記遊泳体の表面には、変化の前後に亘る絵柄が複数形成され、この複数の絵柄の間では、互いに、前記絵柄部分の位相がずらしてあることを特徴とする請求項１３に記載の置物玩具。
【請求項１５】
前記遊泳体は、静止する前記液体中に置かれた場合に、前記絵柄部分の並び方向が上下方向となるように構成されていることを特徴とする請求項１３又は１４に記載の置物玩具。
【発明の詳細な説明】
【技術分野】
【０００１】
本発明は、置物玩具に関する。
【背景技術】
【０００２】
液体を水槽内に流出させる流出口を有する液路をポンプの吐出口に接続し、この流出口を水槽の底部に複数配置し、ポンプを起動させることで水槽内に流れを引き起こして水槽内の遊泳造形体を遊泳させることができる遊泳造形物玩具が知られている（例えば、特許文献１参照）。
【先行技術文献】
【特許文献】
【０００３】
【特許文献１】特開平９−１７３６５０号公報
【発明の概要】
【発明が解決しようとする課題】
【０００４】
図９は、特許文献１と同様、水槽の底部から上方に向けて液体を噴出させる構成を示した斜視図であり、図１０は、流出口の上方に遊泳造形物がある場合の液体の流れを説明する図である。
図９に示すように、流出口１００から水槽１０１内に流出される液体の流出方向は上方の一方向だけであるため、図１０に示すように、流出口１００から流出した液体が遊泳造形体１０２の両側縁を通るような位置に遊泳造形体１０２がある場合には、液体の流れが両側から遊泳造形体１０２の移動を妨害してしまい、遊泳造形体１０２が同じ位置に停滞して水槽１０１内を遊泳しないという問題があった。
【０００５】
そこで、本発明は、上記課題を解決するためになされたものであり、遊泳体を停滞させることなく円滑に遊泳させることができる置物玩具を提供することを目的とする。
【課題を解決するための手段】
【０００６】
請求項１に記載の発明は、
液体が充填されたケースと、
前記液体中で遊泳可能な遊泳体と、
前記ケース内に前記液体を噴出して流れを引き起こさせる流れ形成手段と、を備える置物玩具において、
前記流れ形成手段は、複数の異なる方向に前記液体を噴出することを特徴とする。
【０００７】
請求項２に記載の発明は、請求項１に記載の置物玩具において、
前記流れ形成手段は、前記液体の噴出位置に前記遊泳体がある場合に、前記遊泳体を回避して異なる方向から前記液体を噴出させることを特徴とする。
【０００８】
請求項３に記載の発明は、請求項１又は２に記載の置物玩具において、
前記流れ形成手段は、前記液体を前記ケースの上方に向けて噴出することを特徴とする。
【０００９】
請求項４に記載の発明は、請求項１〜３のいずれか一項に記載の置物玩具において、
前記流れ形成手段は、前記ケースの角部に設けられていることを特徴とする。
【００１０】
請求項５に記載の発明は、請求項１〜４のいずれか一項に記載の置物玩具において、
前記流れ形成手段は、前記ケースに複数設けられていることを特徴とする。
【００１１】
請求項６に記載の発明は、請求項１〜５のいずれか一項に記載の置物玩具において、
前記流れ形成手段は、
前記液体を前記ケース内に押し出す押出部と、
前記押出部により押し出された前記液体を噴出する噴出溝と、を備え、
前記噴出溝は、開口面方向が交差する複数の噴出開口部を有することを特徴とする。
【００１２】
請求項７に記載の発明は、請求項６に記載の置物玩具において、
前記噴出溝は、
前記ケースの底部に形成され、前記ケースの上方に向けて前記液体を噴出する第１の噴出開口部と、
前記ケースの側壁部に形成され、前記ケースの側方に向けて前記液体を噴出する第２の噴出開口部と、を有し、
前記第１の噴出開口部と前記第２の噴出開口部は互いに連通されていることを特徴とする。
【００１３】
請求項８に記載の発明は、請求項１〜５のいずれか一項に記載の置物玩具において、
前記流れ形成手段は、
前記液体を前記ケース内に押し出す押出部と、
前記押出部により押し出された前記液体を開口軸線方向に噴出する複数の噴出口と、を備え、
前記複数の噴出口の少なくとも一部は、前記液体の噴出方向が他の噴出口と異なることを特徴とする。
【００１４】
請求項９に記載の発明は、請求項６〜８のいずれか一項に記載の置物玩具において、
前記押出部は、内部が前記ケース内に連通され、外力を加えることで縮んで前記液体を押し出し、加えた外力を解放することで前記液体が流入して元の状態に戻るベローズ部材であることを特徴とする。
【００１５】
請求項１０に記載の発明は、請求項６〜８のいずれか一項に記載の置物玩具において、
前記押出部は、前記ケース内に連通され、前記ケース内に前記液体を噴出するポンプと、
前記ポンプを駆動させる駆動源と、
を備えることを特徴とする。
【００１６】
請求項１１に記載の発明は、請求項１〜１０のいずれか一項に記載の置物玩具において、
前記ケースを支持し、底部が平面状に形成された基台を備えることを特徴とする。
【００１７】
請求項１２に記載の発明は、請求項１〜１１のいずれか一項に記載の置物玩具において、
前記ケースの少なくとも一部は、レンチキュラーレンズであることを特徴とする。
【００１８】
請求項１３に記載の発明は、請求項１２に記載の置物玩具において、
前記レンチキュラーレンズは、一方向に直線状に延びる凸レンズを一定のピッチで配置することにより構成され、
前記遊泳体には絵柄が形成され、当該絵柄は前記一定のピッチでインターレース状に複数の絵柄部分で構成されていることを特徴とする。
【００１９】
請求項１４に記載の発明は、請求項１３に記載の置物玩具において、
前記遊泳体の表面には、変化の前後に亘る絵柄が複数形成され、この複数の絵柄の間では、互いに、前記絵柄部分の位相がずらしてあることを特徴とする。
【００２０】
請求項１５に記載の発明は、請求項１３又は１４に記載の置物玩具において、
前記遊泳体は、静止する前記液体中に置かれた場合に、前記絵柄部分の並び方向が上下方向となるように構成されていることを特徴とする。
【発明の効果】
【００２１】
請求項１に記載の発明によれば、流れ形成手段は、複数の異なる方向から液体を噴出させるので、流れ形成手段による液体の一方向の流れのみによって押されることがなくなり、遊泳体が停滞することもなくなる。よって、ケース内で遊泳体を円滑に遊泳させることができる。
【００２２】
請求項２に記載の発明によれば、液体の噴出位置に遊泳体がある場合に、遊泳体を回避して異なる方向から液体を噴出させるので、流れ形成手段による液体の噴出部位に遊泳体がある場合においても、遊泳体は異なる方向に押されることになるので、遊泳体が停滞しなくなる。よって、ケース内で遊泳体を円滑に遊泳させることができる。
【００２３】
請求項３に記載の発明によれば、流れ形成手段は、液体を前記ケースの上方に向けて噴出するため、遊泳体が自重によりケースの底に沈んできた場合には、その遊泳体を液体の流れによって下方から上方に向けて押すことで、再び遊泳させることができる。
【００２４】
請求項４に記載の発明によれば、流れ形成手段は、ケースの角部に設けられているので、ケースの底面と壁面を利用して異なる方向から液体を噴出することができる。
【００２５】
請求項５に記載の発明によれば、流れ形成手段は、ケースに複数設けられているので、ケース内に遊泳体を複数遊泳させた場合であっても、いずれかの流れ形成手段により遊泳体を遊泳させることができる。
よって、ケースの底に停滞する遊泳体を減らすことができる。
【００２６】
請求項６に記載の発明によれば、開口面方向が交差する複数の噴出開口部からは、異なる方向に液体が噴出されるので、遊泳体は異なる方向に押されることになり、遊泳体が停滞しなくなる。よって、ケース内で遊泳体を円滑に遊泳させることができる。
【００２７】
請求項７に記載の発明によれば、噴射溝の第１の噴出開口部から噴出された液体は遊泳体の下側をケースの上方に向けて押し、噴射溝の第２の噴出開口部から噴出された液体は遊泳体の左側又は右側をケースの側方に向けて押すことになる。
これにより、遊泳体は異なる方向に押されることになるので、遊泳体が停滞しなくなる。よって、ケース内で遊泳体を円滑に遊泳させることができる。
【００２８】
請求項８に記載の発明によれば、一部の噴射口からの液体の噴出方向が他の噴射口と異なるので、遊泳体は異なる方向に押されることになり、遊泳体が停滞しなくなる。よって、ケース内で遊泳体を円滑に遊泳させることができる。
【００２９】
請求項９に記載の発明によれば、押出部をベローズ部材とすることで、人の操作で遊泳体を遊泳させることができ、簡単に遊ぶことができる。
また、ケース内で液体の流れを引き起こすためにポンプ等の機械的な機構を用いる必要がなくなるので、軽量化、コスト低減を図ることができる。
【００３０】
請求項１０に記載の発明によれば、押出部はポンプと駆動源を備えることで、人が操作しなくても遊泳体を遊泳させることができる。従って、置物玩具を見て楽しむオブジェとして使用する際に有用である。
【００３１】
請求項１１に記載の発明によれば、基台を備えることにより、ケースを安定した状態で設置することができ、置物玩具を見て楽しむオブジェとして使用する際に有用である。
【００３２】
請求項１２に記載の発明によれば、ケースの少なくとも一部は、レンチキュラーレンズであるため、遊泳体が液体中で遊泳したとき、レンチキュラーレンズを通して見る絵柄は、刻々変化することになる。よって、形態変化に富むとともに、意外性のある形態変化を行う置物玩具が実現できることになる。
【００３３】
請求項１３に記載の発明によれば、レンチキュラーレンズの凸レンズの延在方向と、絵柄部分の延在方向とが合致する時には、視覚上で、絵柄が消失したり、出現したりする。また、凸レンズの延在方向と、絵柄部分の延在方向とが合致しない時には、視覚上で、崩れた絵柄が出現する。すなわち、遊泳体が液体中で方向性なく遊泳した際には、視覚上で、絵柄が突然崩れたり、出現したり、消失したりする。この順番は遊泳体の遊泳状況によって変化する。
よって、形態変化に富むとともに、意外性のある形態変化を行う置物玩具が実現できることになる。
なお、複数の遊泳体に同一絵柄を担持させておくことも可能である。この場合、視覚上で消失した絵柄が突然他の場所から出現したり、同時に同じ絵柄が見え隠れしたりするので、さらに、全体としての形態変化の意外性が増すことになる。
【００３４】
請求項１４に記載の発明によれば、レンチキュラーレンズの凸レンズの延在方向と、絵柄部分の延在方向とが合致している状態で、凸レンズの延在方向と直交する方向に遊泳体が移動すると、レンチキュラーレンズを通して見た絵柄は２つの絵柄の間で交互に変化する。
【００３５】
請求項１５に記載の発明によれば、遊泳体の姿勢が比較的に安定し、レンチキュラーレンズの凸レンズの延在方向と、絵柄部分の延在方向とが合致する方向に遊動体は姿勢調節されるので、絵柄が整然と形態変化する確率を高めることができる。
【図面の簡単な説明】
【００３６】
【図１】置物玩具の斜視図。
【図２】ケースの一部を側方から見た断面図。
【図３】遊泳体に形成される絵柄を説明するための図であり、（Ａ）は海月の第１の姿態の絵柄、（Ｂ）は海月の第２の姿態の絵柄、（Ｃ）は第１の姿態の絵柄と第２の姿態の絵柄とを組み合わせた絵柄。
【図４】流れ形成手段の構造を説明するための図であり、（Ａ）は平面図、（Ｂ）は正面図。
【図５】噴射部材の正面図。
【図６】流れ形成手段の斜視図。
【図７】液体の噴出方向を説明する図。
【図８】流れ形成手段の他の形態を示す斜視図。
【図９】従来の玩具における液体の流れを形成する構造を示す斜視図。
【図１０】従来の玩具における液体の噴出方向を説明する図。
【発明を実施するための形態】
【００３７】
以下、本発明に係る置物玩具の一実施形態について図面を参照しながら説明する。
＜置物玩具の構成＞
図１、図２に示すように、置物玩具１は、ケース１０と、ケース１０に充填された液体２０（図２参照）と、ケース１０内に設置され液体２０中で遊泳可能な遊泳体３０と、液体２０の流れを引き起こさせる流れ形成手段４０と、ケース１０を支持する基台５０とを備えている。
【００３８】
（ケース、基台）
ケース１０は扁平な箱状に形成されており、中空状に形成されている。ケース１０の中空内部には、液体２０が充填されている。ケース１０は基台５０に起立状態で支持されている。すなわち、ケース１０は、大きな面（主面）が正面を向き且つ奥行き寸法が小さくなるように、基台５０に支持されている。この場合の奥行き寸法は、遊泳体３０が前後に倒れない程度とすることが好ましい。
基台５０は、底部が平面状に形成されており、構造物の上面に載置することができるようになっている。置物玩具１を遊ぶためだけでなく、置物としても用いることができる。
ケース１０の少なくとも前壁１１は、ガラス又はアクリル樹脂等からなる透明板から構成されている。全ての壁が透明板で構成されていてもよいし、前壁１１の一部が透明となっていてもよい。
【００３９】
ケース１０の前壁１１の表面には、レンチキュラーレンズ１１ａが形成されている。レンチキュラーレンズ１１ａは、一方向に直線状に延びるシリンドリカル状の細長い凸レンズを一定のピッチで並設して構成されるものである。置物玩具１の場合、レンチキュラーレンズ１１ａは、細長い凸レンズが上下方向に一定のピッチで並ぶように前壁１１の表面に形成されている。このレンチキュラーレンズ１１ａの形成にあたっては、ケース１０の前壁１１と一体にレンチキュラーレンズ１１ａを成型してもよいし、前壁１１の基体にレンチキュラーレンズ１１ａを形成したシートを貼り付けてもよい。また、レンチキュラーレンズ１１ａは、ケース１０の前壁１１の表面全域に形成されている必要はなく、その一部であっても良い。
【００４０】
ケース１０の後壁１２の内側には、遊泳体３０の遊泳場所の背景を構成する海底の絵柄１３、例えば岩や海草の絵柄が形成されている。この絵柄１３の形成にあたっては、ケース１０の後壁１２の内面に絵柄１３を直接描いてもよいし、絵柄１３が予め描かれたシートを後壁１２の内面に貼り付けてもよいし、また、絵柄１３が予め描かれた板を後壁１２の前に設置してもよい。さらには、ケース１０の後壁１２も透明板とし、その後面に絵柄１３を形成してもよい。
ケース１０の上壁には、液体２０の給排口が形成され、この給排口にはキャップ１４が着脱自在に装着されている。
【００４１】
（液体）
液体２０としては、中に入れられた遊泳体３０を視認することができるよう、透明な液体であることが必要である。具体的には、液体２０は、水，油等である。液体２０には興趣性を向上させるために着色しても良いが、遊泳体３０をケース１０の外側から視認できるよう、液体２０に混ぜても濁らない透明な染料を用いることが必要である。
【００４２】
（遊泳体）
遊泳体３０は、例えば、円形又は楕円形の合成樹脂製の平板によって形成されている。この遊泳体３０は、他の平面的形状であってもよいし、立体形象物であってもよい。
遊泳体３０は、後述する「海月（くらげ）」の絵柄３１を担持している。この絵柄３１は、遊泳体３０の表面に絵柄３１を直接描いたものでもよいし、絵柄３１が予め描かれたシートを遊泳体３０の表面に貼り付けたものであってもよい。或いは、遊泳体３０を前後２枚の平板を貼り合わせることによって形成し、このうち前側の平板を透明とし、その２枚の平板の間で絵柄３１を挟み込んだものであってもよい。さらには、絵柄３１は、遊泳体３０を透明板とし、その後面に形成したものであってもよい。
遊泳体３０は、液体２０よりも僅かに大きい比重であり、液体２０中に入れた際に自然状態では沈下し、液流がある場合には液体２０の中を遊泳する程度の比重を有することが好ましい。
遊泳体３０は、図２に示すように、遊泳時に姿勢が傾かないよう、前壁１１と後壁１２の内側の距離よりわずかに小さい程度の幅とすることが好ましい。具体的には、前壁１１と後壁１２の内側の距離を５ｍｍとすると、遊泳体３０の幅を４．５ｍｍ程度にすることが好ましい。
また、遊泳体３０は、静止する液体２０中に置かれた場合に、後述の短冊状絵柄部分の並び方向が上下方向となるように、形状及び重心位置が調整されている。この場合、必要があれば、遊泳体３０に重りを設けてもよい。
【００４３】
続いて、遊泳体３０が担持する絵柄３１について説明する。
遊泳体３０が担持する絵柄３１は、縦方向に伸びた「海月」の姿態を示すストライプ状の絵柄３１ａ（図３（Ａ））と、縦方向に縮んだ「海月」の姿態を示すストライプ状の絵柄３１ｂ（図３（Ｂ））とを一部重ね合わせるようにして合成した絵柄となっている。
まず、絵柄３１ａについて説明すれば、絵柄３１ａは、図３（Ａ）に示すように、短冊状絵柄部分を、レンチキュラーレンズ１１ａの凸レンズの並設ピッチと同じピッチでインターレース状に並設することによって形成されている。同様に、絵柄３１ｂは、図３（Ｂ）に示すように、短冊状絵柄部分を、凸レンズの並設ピッチと同じピッチでインターレース状に並設することによって形成されている。そして、この２つの絵柄３１ａ，３１ｂをピッチの１／２だけ位相がずれるようにして一部重ね合わせた状態で合成することによって、絵柄３１（図３（Ｃ））を形成している。
なお、ここでは１つの遊泳体３０に２つのストライプ状の絵柄３１ａ，３１ｂを形成したが、３つ以上のストライプ状の絵柄を形成してもよい。この場合、３つ以上のストライプ状の絵柄を形成する場合には、全てのストライプ状の絵柄の短冊状絵柄部分の並設ピッチを同じにするとともに、重ね合わせ数をＮとした場合、１／Ｎピッチずつ位相をずらすように、ストライプ状の絵柄を形成することが好ましい。このようにして３つ以上のストライプ状の絵柄を形成する場合には、２つの場合と比較して、絵柄の変化の過程をより繊細に表現できることになる。
【００４４】
（流れ形成手段）
図１、図４〜図６に示すように、流れ形成手段４０は、複数の異なる方向に液体２０を噴射するように構成されている。流れ形成手段４０は、液体２０の噴出位置に遊泳体３０がある場合に、遊泳体３０を回避して異なる方向から液体２０を噴出させる。具体的には、流れ形成手段４０は、上方に遊泳体３０がいない場合には、ケース１０の底面から上方に向けて液体２０を噴出するが、上方に遊泳体３０がいる場合には、遊泳体３０を回避し、遊泳体３０の下側以外からも液体２０を噴出する。すなわち、遊泳体３０が上方に存在する場合には、複数の方向から液体２０を噴出することで、遊泳体３０を停滞させることなく遊泳させる。
【００４５】
流れ形成手段４０は、ケース１０の角部に設けられている。具体的には、流れ形成手段４０は、ケース１０の底部と左側の壁部とにわたって設けられていると共に、ケース１０の底部と右側の壁部とにわたって設けられている。なお、流れ形成手段４０の数はいくつあっても良く、ケース１０の大きさや形状に合わせて設けると良い。遊泳体３０を複数設ける場合には、遊泳体３０がケース１０の底部に停滞しないよう、流れ形成手段４０も複数設けることが好ましい。また、流れ形成手段４０を複数設けることで、互いに引き起こされた流れがぶつかって複雑な流れを形成するので、遊泳体３０のリアルな遊泳を鑑賞することができる。
【００４６】
流れ形成手段４０は、基台５０の前壁に付設された押出部としてのベローズ部材４１と、基台５０からケース１０の底壁１５及び側壁１６にかけて設けられた噴出部材４２と、を備えている。
ベローズ部材４１の基端側は基台５０に取り付けられている。このベローズ部材４１の基端側は、パイプ４３の一端に連結され、このパイプ４３の他端は噴出部材４２に連結されている。
噴出部材４２は、下端が基台５０内に収容され、上端が二股に分岐するように形成されている。噴出部材４２は、ケース１０の底壁１５の一部をなすように形成され、ケース１０の上方に向けて液体２０を噴出する第１の噴出開口部４４と、ケース１０の側壁１６の一部をなすように形成され、ケース１０の対向する側方に向けて液体２０を噴出する第２の噴出開口部４５と、を備えている。第１の噴出開口部４４と第２の噴出開口部４５は、それぞれの壁部に沿って延びる溝状に形成されている。第１の噴出開口部４４と第２の噴出開口部４５は、互いに連通されており、互いの開口面方向が交差（より具体的には直交）するように形成されている。これにより、ベローズ部材４１から押し出された液体２０は、複数の異なる方向に流れることとなる。従って、第１の噴出開口部４４と第２の噴出開口部４５とで噴出溝が形成される。
【００４７】
なお、遊泳体３０の幅が４．５ｍｍ程度の場合、噴射溝を構成する第１の噴出開口部４４と第２の噴出開口部４５の幅は、遊泳体３０が挟まらないよう、共に３〜４ｍｍ程度にすることが好ましい。また、遊泳体３０の高さ及び幅が３０ｍｍ程度である場合、噴射溝を構成する第１の噴出開口部４４と第２の噴出開口部４５の長さについても、遊泳体３０を上方に向けて遊泳させるために３０ｍｍ程度にすることが好ましい。
噴出部材４２は、内部に第１の噴出開口部４４と第２の噴出開口部４５に連通する流路部４６を備えており、この流路部４６はパイプ４３に連通されている。
【００４８】
これによって、ベローズ部材４１の内部とケース１０の内部が噴出部材４２及びパイプ４３を介して連通され、ベローズ部材４１の内部はケース１０に充填された液体２０で満たされることになる。その結果、外力を加えてベローズ部材４１を縮めることによって、ベローズ部材４１から液体２０が押し出され、パイプ４３から噴出部材４２を介してケース１０に液体２０が噴出されることとなり、ケース１０内の液体２０に流れを生じさせることができる。また、縮んだベローズ部材４１に加えた外力を解放することにより、液体２０が一時的にベローズ部材４１内に流れてベローズ部材４１が元の状態に戻る。この際にも、ケース１０内の液体２０に流れを生じさせることができる。
なお、液体２０を循環させる方式に代えて、ベローズ部材４１によって空気を噴出させる方式を採用することも可能である。
【００４９】
＜置物玩具での遊び方＞
次に、置物玩具１での遊び方を説明する。
この置物玩具１は、常態では、ケース１０の液体２０がベローズ部材４１に流入した状態にある。この状態で、ベローズ部材４１を縮めると、図７に示すように、ベローズ部材４１内の液体２０がケース１０内に噴出する。これによって、ケース１０内の液体２０に流れが発生し、この液体２０の流れによって遊泳体３０が液体２０の中で遊泳する。また、縮んだベローズ４１から手を離すと一時的にベローズ部材４１に向けて液体２０が逆流する。したがって、ケース１０内には複雑な液体２０の流れが生じ、遊泳体３０の動作は複雑となる。
【００５０】
この場合、レンチキュラーレンズ１１ａを通して遊泳体３０の絵柄３１を観察すると、レンチキュラーレンズ１１ａの凸レンズの延在方向と短冊状絵柄部分の延在方向とが合致したまま、凸レンズの延在方向と直交する方向（上下方向）に遊泳体３０が移動した場合には、上下方向に伸びた「海月」の絵柄（図３（Ａ）参照）と、上下方向に縮んだ「海月」の絵柄（図３（Ｂ）参照）とが選択的に見えることになる。この場合には、「海月」が伸縮しているイメージが醸し出される。
また、凸レンズの延在方向と短冊状絵柄部分の延在方向とが合致しない場合には、「海月」とは判別できないような崩れた絵柄が見えることになる。また、この崩れた絵柄の出現後に、凸レンズの延在方向と短冊状絵柄部分の延在方向とが合致した場合には、上下方向に伸びた「海月」の絵柄（図３（Ａ）参照）又は上下方向に縮んだ「海月」の絵柄（図３（Ｂ）参照）が出現する。この場合には、「海月」の誕生のイメージが醸し出される。
【００５１】
＜作用・効果＞
以上のように、置物玩具１によれば、噴射部材４２の第１の噴出開口部４４から噴出された液体２０は遊泳体３０の下側をケース１０の上方に向けて押し、噴射部材４２の第２の噴出開口部４５から噴出された液体２０は遊泳体３０の左側又は右側をケース１０の側方に向けて押すことになる。
これにより、遊泳体３０は異なる方向に押されることになるので、遊泳体３０は一方向の流れのみによって押されることがなくなり、遊泳体３０が停滞しなくなる。よって、ケース１０内で遊泳体３０を円滑に遊泳させることができる。
【００５２】
また、流れ形成手段４０は、ケース１０の角部に設けられているので、ケース１０の底面と壁面を利用して異なる方向から液体を噴出することができる。
また、流れ形成手段４０は、ケース１０に複数設けられているので、ケース１０内に遊泳体３０を複数遊泳させた場合であっても、いずれかの流れ形成手段４０により遊泳体３０を遊泳させることができる。よって、ケース１０の底に停滞する遊泳体３０を減らすことができる。
【００５３】
また、流れを引き起こすための操作部材としてベローズ部材４１とすることで、人の操作で遊泳体３０を遊泳させることができ、簡単に遊ぶことができる。
また、ケース１０内で液体２０の流れを引き起こすためにポンプ等の機械的な機構を用いる必要がなくなるので、軽量化、コスト低減を図ることができる。
【００５４】
また、ケース１０を支持する基台５０を備えることにより、ケース１０を安定した状態で設置することができ、置物玩具１を見て楽しむオブジェとして使用する際に有用である。
【００５５】
また、ケース１０の少なくとも一部は、レンチキュラーレンズ１１ａであるため、遊泳体３０が液体２０中で遊泳したとき、レンチキュラーレンズ１１ａを通して見る絵柄３１は、刻々変化することになる。よって、形態変化に富むとともに、意外性のある形態変化を行う置物玩具１が実現できることになる。
【００５６】
また、レンチキュラーレンズ１１ａの凸レンズの延在方向と、絵柄部分の延在方向とが合致する時には、視覚上で、絵柄が消失したり、出現したりする。また、凸レンズの延在方向と、絵柄部分の延在方向とが合致しない時には、視覚上で、崩れた絵柄が出現する。すなわち、遊泳体３０が液体２０中で方向性なく遊泳した際には、視覚上で、絵柄３１が突然崩れたり、出現したり、消失したりする。この順番は遊泳体３０の遊泳状況によって変化する。
よって、形態変化に富むとともに、意外性のある形態変化を行う置物玩具１が実現できることになる。
なお、複数の遊泳体３０に同一絵柄を担持させておくことも可能である。この場合、視覚上で消失した絵柄が突然他の場所から出現したり、同時に同じ絵柄が見え隠れしたりするので、さらに、全体としての形態変化の意外性が増すことになる。
【００５７】
また、レンチキュラーレンズ１１ａの凸レンズの延在方向と、絵柄部分の延在方向とが合致している状態で、凸レンズの延在方向と直交する方向に遊泳体３０が移動すると、レンチキュラーレンズ１１ａを通して見た絵柄は２つの絵柄の間で交互に変化する。
【００５８】
また、遊泳体３０の姿勢が比較的に安定し、レンチキュラーレンズ１１ａの凸レンズの延在方向と、絵柄部分の延在方向とが合致する方向に遊動体３０は姿勢調節されるので、絵柄３１が整然と形態変化する確率を高めることができる。
【００５９】
＜その他＞
以上、本発明の実施形態について説明したが、本発明は、かかる実施形態に限定されるものではなく、発明の本質的部分を変更しない範囲で種々変形可能である。
例えば、図８に示すように、噴出部材４２の第１の噴出開口部４４及び第２の噴出開口部４５を噴出溝ではなく、液体を開口軸線方向に噴出する複数の噴出孔の集まりで構成してもよい。具体的には、噴出部材４２の第１の噴出開口部として複数の噴出孔４８を底壁１５に沿って形成し、噴出部材４２の第２の噴出開口部として複数の噴出孔４９を側壁１６に沿って形成する。このような構成としても上記実施形態の噴出溝と同様の効果を奏することができる。
【００６０】
また、上記実施形態では、押出部としてベローズ部材４１を使用しているが、風船状のゴム嚢を使用することもでき、遊泳体３０に磁性体を配設して磁力作用によって遊泳体３０を遊泳させるようにしてもよい。また、押出部として、ポンプや羽根車又はスクリュ等とモータ（駆動源）を設け、モータによってポンプや羽根車又はスクリュ等を動作させることによって液流を形成するようにしてもよい。このような構成とすれば、人が操作しなくても遊泳体３０を遊泳させることができる。従って、置物玩具１を見て楽しむオブジェとして使用する際に有用である。
さらに、単に、ケース１０をユーザが振ることによって遊泳体３０を移動させるようにしてもよい。
【符号の説明】
【００６１】
１  置物玩具
１０  ケース
１１ａ  レンチキュラーレンズ
２０  液体
３０  遊泳体
３１  絵柄
４０  流れ形成手段
４１  ベローズ部材
４２  噴出部材
４４  第１の噴出開口部
４５  第２の噴出開口部
５０  基台
【図１】
2012005743.tif 000003
【図２】
2012005743.tif 000004
【図３】
2012005743.tif 000005
【図４】
2012005743.tif 000006
【図５】
2012005743.tif 000007
【図６】
2012005743.tif 000008
【図７】
2012005743.tif 000009
【図８】
2012005743.tif 000010
【図９】
2012005743.tif 000011
【図１０】
2012005743.tif 000012